(57)【特許請求の範囲】
【請求項１】
体腔内に挿入される挿入部と、
前記挿入部の先端部を構成し、少なくとも観察窓を有する先端部本体と、
前記先端部本体側に流体を供給するために形成され、第１の流体源と連通する第１の流路と、
前記先端部本体側に流体を供給するために形成され、第２の流体源と連通する第２の流路と、
前記先端部本体側に形成され、前記第１の流路から供給される流体と前記第２の流路から供給される流体とが異なる向きから合流して混合する合流部及びこの合流部で混合した流体を前記観察窓に向けて噴出する噴出口を有するノズルと、からなり、
前記噴出口の開口位置に対し、前記合流部に供給されて混合する前記両流体のうちで前記合流部に供給される供給量が多い方の流体が合流部に流れ込む向き側に前記観察窓を偏倚させて配置したことを特徴とする内視鏡。
【請求項２】
体腔内に挿入される挿入部と、
前記挿入部を構成し、少なくとも観察窓を有する先端部本体と、
前記先端部本体側に液体を供給するために形成され、第１の流体源と連通する第１の流路と、
前記先端部本体側に気体を供給するために形成され、第２の流体源と連通する第２の流路と、
前記先端部本体側に形成され、前記第１の流路から供給される流体と前記第２の流路から供給される流体とが異なる向きから合流して混合する合流部及びこの合流部で混合した混合流体を前記観察窓に向かって噴出する噴出口を有するノズルと、からなり、
前記観察窓に対し、前記第１の流路および第２の流路のうち流体供給量が多い側に偏倚させて前記噴出口を配置したことを特徴とする内視鏡。
【請求項３】
前記噴出口は、前記観察窓が配置された面に連続してもしくは当該面に略平行な面に配置されていることを特徴とする請求項１または２記載の内視鏡。
【請求項４】
前記噴出口は、前記観察窓に向かって配置され、前記噴出口から前記観察窓が配置された先端部表面方向に沿って流体が噴出されることを特徴とする請求項１または２記載の内視鏡。
【請求項５】
前記第１の流路は送気路、第２の流路は送液路であり、前記送気路から送気される気体と前記送液路から送液される液体は、前記ノズルの内部で合流して混合されることを特徴とする請求項１または２記載の内視鏡。
【請求項６】
体腔内に挿入される挿入部と、
前記挿入部の先端部を構成し、少なくとも観察窓を有する先端部本体と、
前記先端部本体側に液体を供給するために形成され、第１の流体源と連通する第１の流路と、
前記先端部本体側に気体を供給するために形成され、第２の流体源と連通する第２の流路と、
前記先端部本体に着脱可能に設けられた先端キャップと、
前記先端キャップに設けられ、前記第１の流路から供給される流体と前記第２の流路から供給される流体とが異なる向きから合流して混合する合流部及びこの合流部で混合した流体を前記観察窓に向けて噴出する噴出口を有するノズルと、からなり、
前記噴出口の位置に対し、前記第１の流路および第２の流路のうち流体供給量が少ない側に偏倚させて前記観察窓を前記先端部本体に配置したことを特徴とする先端キャップ付き内視鏡。
【請求項７】
体腔内に挿入される挿入部と、
前記挿入部の先端部を構成し、少なくとも観察窓を有する先端部本体と、
前記先端部本体側に液体を供給するために形成され、第１の流体源と連通する第１の流路と、
前記先端部本体側に気体を供給するために形成され、第２の流体源と連通する第２の流路と、
前記先端部本体に着脱可能に設けられた先端キャップと、
前記先端キャップに設けられ、前記第１の流路から供給される流体と前記第２の流路から供給される流体とが異なる向きから合流して混合する合流部及びこの合流部で混合した流体を前記観察窓に向けて噴出する噴出口を有するノズルと、からなり、
前記観察窓に対し、前記第１の流路および第２の流路のうち流体供給量が多い側に偏倚させて前記噴出口を配置したことを特徴とする先端キャップ付き内視鏡。
【請求項８】
前記噴出口は、前記観察窓が配置された面に連続してもしくは当該面に略平行な面に配置されていることを特徴とする請求項６または７記載の先端キャップ付き内視鏡。
【請求項９】
前記噴出口は、前記観察窓に向かって配置され、前記噴出口から前記観察窓が配置された先端部表面に沿って流体が噴出されることを特徴とする請求項６または７記載の先端キャップ付き内視鏡。
【請求項１０】
前記第１の流路は送気路、第２の流路は送液路であり、前記送気路から送気される気体と前記送液路から送液される液体は、前記ノズルの内部で合流して混合されることを特徴とする請求項６または７記載の先端キャップ付き内視鏡。
【請求項１１】
先端部本体に少なくとも観察窓を有する内視鏡の挿入部に被嵌される洗浄シース本体と、
前記洗浄シース本体に設けられ、第１の流体源と連通する第１の流路と、
前記洗浄シース本体に設けられ、第２の流体源と連通する第２の流路と、
前記洗浄シース本体に設けられ、前記第１の流路から供給される流体と前記第２の流路から供給される流体とが異なる向きから合流して混合する合流部及びこの合流部で混合した混合流体を前記観察窓に向かって噴出する噴出口を有するノズルと、からなり、
前記噴出口の位置に対し、前記第１の流路および第２の流路のうち流体供給量が少ない側に偏倚して前記観察窓を前記先端部本体に配置したことを特徴とする内視鏡用洗浄シース。
【請求項１２】
先端部本体に少なくとも観察窓を有する内視鏡の挿入部に被嵌される洗浄シース本体と、
前記洗浄シース本体に設けられ、第１の流体源と連通する第１の流路と、
前記洗浄シース本体に設けられ、第２の流体源と連通する第２の流路と、
前記洗浄シース本体に設けられ、前記第１の流路から供給される流体と前記第２の流路から供給される流体とが異なる向きから合流して混合する合流部及びこの合流部で混合した混合流体を前記観察窓に向かって噴出する噴出口を有するノズルと、からなり、
前記観察窓に対し、前記第１の流路および第２の流路のうち流体供給量が多い側に偏倚させて前記噴出口を配置したことを特徴とする内視鏡用洗浄シース。
【請求項１３】
前記噴出口は、前記観察窓が配置された面に連続してもしくは当該面に略平行な面に配置されていることを特徴とする請求項１１または１２記載の内視鏡用洗浄シース。
【請求項１４】
前記噴出口は、前記観察窓に向かって配置され、前記噴出口から前記観察窓が配置された先端部表面に沿って流体が噴出されることを特徴とする請求項１１または１２記載の内視鏡用洗浄シース。
【請求項１５】
前記第１の流路は送気路、第２の流路は送液路であり、前記送気路から送気される気体と前記送液路から送液される液体は、前記ノズルの内部で合流して混合されることを特徴とする請求項１１または１２記載の内視鏡用洗浄シース。
【発明の詳細な説明】
【技術分野】
【０００１】
本発明は、内視鏡の先端部本体に設けられた観察窓に付着した汚物等を洗浄する流体噴出ノズルを備えた内視鏡、先端キャップ付き内視鏡および内視鏡用洗浄シースに関する。
【背景技術】
【０００２】
医療用の内視鏡において、体腔内に挿入する挿入部の先端部本体には照明窓、観察窓が設けられ、体腔内を照明しながら観察できるようになっている。また、先端部本体には流体噴出ノズルが設けられ、照明窓や観察窓に血液、粘液等が付着して視野が損なわれたときに流体噴出ノズルから水と空気を噴出させて洗浄できるようになっている。
【０００３】
例えば、特許文献１には、内視鏡の挿入部の先端部本体に先端キャップを着脱自在に装着し、この先端キャップに送気送水ノズルを設けた構成が開示されている。前記先端部本体には挿入部の手元側と連通する送水チューブと送気チューブが設けられ、送水チューブから送られてくる水と送気チューブから送られてくる空気を観察窓に向かって吹き付けるように構成されている。
【０００４】
前記特許文献１には、先端部本体に送水チューブと送気チューブが接続され、送水チューブと送気チューブが先端部本体に設けられた連通路において合流するようにした構成が開示されている。前記連通路には送気送水ノズルが接続され、この送気送水ノズルから観察窓に向かって水と空気を吹き付けるように構成されている。
【０００５】
また、例えば、特許文献２には、特許文献１と同様に、先端部本体に送水チューブと送気チューブが接続され、送水チューブと送気チューブが先端部本体に設けられた連通路において合流するようにした構成が開示されている。さらに、前記連通路には先端部を細くした送気送水ノズルが接続され、この送気送水ノズルから観察窓に向かって水と空気を吹き付けるように構成されている。
【０００６】
さらに、例えば、特許文献３には、内視鏡の挿入部の先端部本体に、その先端面に開口する空気送出口と水送出口が隣接して設けられ、先端部本体には空気送出口と水送出口に対向してノズルを着脱自在に装着した構成が開示されている。そして、空気送出口から送出される空気と水送出口から送出される水がノズルによって方向変換され、観察窓に向かって吹き付けるように構成されている。
【０００７】
また、例えば、特許文献４には、内視鏡の挿入部に送気路と送水路とが設けられ、この送気路と送水路とが挿入部内で合流して送気送水ノズルに連通した構成が開示されている。さらに、段落番号［００３７］には、送水路を流れる水に空気を間欠的に吹き込み、気水混合流体を作って洗浄力を高めることが記載されている。
【特許文献１】特開平１１−１８８００４号公報
【特許文献２】特開平１０−１５１１０８号公報
【特許文献３】特開平７−１３６１０２号公報
【特許文献４】特開平６−１４８７０号公報
【発明の開示】
【発明が解決しようとする課題】
【０００８】
特許文献１，２は、送水チューブと送気チューブが先端部本体に設けられた連通路において合流するように構成されているものの、送水と送気を同時に行うものではなく、送気送水ノズルから観察窓に向かって送水する機能と送気する機能を持たせたものである。つまり、連通路で水と空気を混合させて噴霧状にして観察窓に吹き付けるという技術思想はない。
【０００９】
特許文献３は、先端部本体に空気送出口と水送出口が隣接して設けられ、空気送出口から送出される空気と水送出口から送出される水をノズルによって方向変換して観察窓に向かって吹き付けるように構成されているものの、段落番号［００２６］に記載されているように、空気と水を観察窓に向かって選択的に吹き付けるものである。
【００１０】
さらに、特許文献３は、観察窓に近い位置に空気送出口が設けられ、遠い位置に水送出口が設けられている。したがって、仮に空気送出口から空気を、水送出口から水を同時に送出したとしても、水を空気の噴出圧力によって吹き飛ばし、噴霧状にすることはできず、水と空気を混合させて噴霧状にして観察窓に吹き付けるという技術思想はない。
【００１１】
したがって、特許文献１〜３には、いずれも観察窓に汚物が付着して視野が妨げられたときに、水と空気を混合させて噴霧状にして観察窓に吹き付けて洗浄するものではなく、空気と水を観察窓に向かって選択的に吹き付けるものである。このため、洗浄効果を確保するために、水および空気を吹き付ける時間が長くすることが必要な場合がある。その際には、その分だけ水および空気の消費量が増加するという問題がある。
【００１２】
特許文献４には、気水混合流体を作って洗浄力を高めるという記載があるものの、送水中に送気用のバルブを開閉して間欠的に空気を送り込んで、気水混合させるものである。
【００１３】
さらに、引用文献１〜４は、空気と水を用い、あるいはこれらを混合して気水混合流体を作って噴出口から観察窓に向かって噴出するものであるが、観察窓の全面に亘って気水混合流体が行渡るようにするための技術は記載されていない。また、空気と水を混合する際、水の供給量より空気の供給量を多くすると、水と空気が混合しやすいことは実験上明らかであっても、水の供給量より空気の供給量を多くして噴出口から噴出すると、噴出口から気水混合流体が真っ直ぐに噴出せずに、供給量の少ない水側に傾き、観察窓の全面に亘って気水混合流体が行渡らないという不具合がある。したがって、引用文献４においても、水と空気を混合して洗浄に最適となるような噴霧状にして観察窓に吹き付けるものであると想定しても上述のような洗浄効果を得るための工夫が必要となる。
【００１４】
また、手術中に体腔内に空気を供給して気腹させながらの手術は、体腔内に供給する空気が多くなり、過剰送気になると患者への負担が大きくなり、できるだけ体腔内に供給する空気はできるだけ少ないのが望ましいが、洗浄時間が長くならないよう、つまり、体腔内に供給される空気量が多くならないように工夫し、手術時間を管理する必要がある。
【００１５】
本発明は、前記事情に着目してなされたもので、その目的とするところは、送液路からの液体と送気路からの気体を混合させ、噴霧状にして観察窓に吹き付けることができ、観察窓を効率よく洗浄することができる内視鏡、先端キャップ付き内視鏡および内視鏡用洗浄シースを提供することにある。
【課題を解決するための手段】
【００１６】
前記目的を達成するために、本発明は、体腔内に挿入される挿入部と、前記挿入部の先端部を構成し、少なくとも観察窓を有する先端部本体と、前記先端部本体側に流体を供給するために形成され、第１の流体源と連通する第１の流路と、前記先端部本体側に流体を供給するために形成され、第２の流体源と連通する第２の流路と、前記先端部本体側に形成され、前記第１の流路から供給される流体と前記第２の流路から供給される流体とが異なる向きから合流して混合する合流部及びこの合流部で混合した流体を前記観察窓に向けて噴出する噴出口を有するノズルと、からなり、前記噴出口の位置に対し、前記合流部に供給されて混合する前記両流体のうちで前記合流部に供給される供給量が多い方の流体が合流部に流れ込む向き側に前記観察窓を偏倚させて配置したことを特徴とする内視鏡である。
【００１７】
本発明は、体腔内に挿入される挿入部と、前記挿入部を構成し、少なくとも観察窓を有する先端部本体と、前記先端部本体側に液体を供給するために形成され、第１の流体源と連通する第１の流路と、前記先端部本体側に気体を供給するために形成され、第２の流体源と連通する第２の流路と、前記先端部本体側に形成され、前記第１の流路から供給される流体と前記第２の流路から供給される流体とが異なる向きから合流して混合する合流部及びこの合流部で混合した混合流体を前記観察窓に向かって噴出する噴出口を有するノズルと、からなり、前記観察窓に対し、前記第１の流路および第２の流路のうち流体供給量が多い側に偏倚させて前記噴出口を配置したことを特徴とする内視鏡である。
【００１８】
本発明は、体腔内に挿入される挿入部と、前記挿入部の先端部を構成し、少なくとも観察窓を有する先端部本体と、前記先端部本体側に液体を供給するために形成され、第１の流体源と連通する第１の流路と、前記先端部本体側に気体を供給するために形成され、第２の流体源と連通する第２の流路と、前記先端部本体に着脱可能に設けられた先端キャップと、前記先端キャップに設けられ、前記第１の流路から供給される流体と前記第２の流路から供給される流体とが異なる向きから合流して混合する合流部及びこの合流部で混合した流体を前記観察窓に向けて噴出する噴出口を有するノズルと、からなり、前記噴出口の位置に対し、前記第１の流路および第２の流路のうち流体供給量が少ない側に偏倚させて前記観察窓を前記先端部本体に配置したことを特徴とする先端キャップ付き内視鏡である。
【００１９】
本発明は、体腔内に挿入される挿入部と、前記挿入部の先端部を構成し、少なくとも観察窓を有する先端部本体と、前記先端部本体側に液体を供給するために形成され、第１の流体源と連通する第１の流路と、前記先端部本体側に気体を供給するために形成され、第２の流体源と連通する第２の流路と、前記先端部本体に着脱可能に設けられた先端キャップと、前記先端キャップに設けられ、前記第１の流路から供給される流体と前記第２の流路から供給される流体とが異なる向きから合流して混合する合流部及びこの合流部で混合した流体を前記観察窓に向けて噴出する噴出口を有するノズルと、からなり、前記観察窓に対し、前記第１の流路および第２の流路のうち流体供給量が多い側に偏倚させて前記噴出口を配置したことを特徴とする先端キャップ付き内視鏡である。
【００２０】
本発明は、先端部本体に少なくとも観察窓を有する内視鏡の挿入部に被嵌される洗浄シース本体と、前記洗浄シース本体に設けられ、第１の流体源と連通する第１の流路と、前記洗浄シース本体に設けられ、第２の流体源と連通する第２の流路と、前記洗浄シース本体に設けられ、前記第１の流路から供給される流体と前記第２の流路から供給される流体とが異なる向きから合流して混合する合流部及びこの合流部で混合した混合流体を前記観察窓に向かって噴出する噴出口を有するノズルと、からなり、前記噴出口の位置に対し、前記第１の流路および第２の流路のうち流体供給量が少ない側に偏倚して前記観察窓を前記先端部本体に配置したことを特徴とする内視鏡用洗浄シースである。
【００２１】
本発明は、先端部本体に少なくとも観察窓を有する内視鏡の挿入部に被嵌される洗浄シース本体と、前記洗浄シース本体に設けられ、第１の流体源と連通する第１の流路と、前記洗浄シース本体に設けられ、第２の流体源と連通する第２の流路と、前記洗浄シース本体に設けられ、前記第１の流路から供給される流体と前記第２の流路から供給される流体とが異なる向きから合流して混合する合流部及びこの合流部で混合した混合流体を前記観察窓に向かって噴出する噴出口を有するノズルと、からなり、前記観察窓に対し、前記第１の流路および第２の流路のうち流体供給量が多い側に偏倚させて前記噴出口を配置したことを特徴とする内視鏡用洗浄シースである。
【発明の効果】
【００２２】
本発明によれば、送液路からの液体と送気路からの気体を混合させ、噴霧状の気液混合流体を観察窓に吹き付けることができ、しかも、観察窓の全面に亘って気水混合流体を行渡らせて観察窓を効率よく洗浄することができるという効果がある。
【発明を実施するための最良の形態】
【００２３】
以下、本発明の実施の形態を図面に基づいて説明する。
【００２４】
図１〜図４は本発明の第１の実施形態を示し、図１（ａ）は内視鏡装置の全体構成図の斜視図、（ｂ）は内視鏡の先端部本体の正面図である。図１に示すように内視鏡装置１は、内視鏡２と、内視鏡用洗浄シース３と、送気装置としての送気ポンプ４および送液装置としての送液ポンプ５とを備えている。内視鏡２は、例えば、挿入部２ａに湾曲部２ｂを有する硬性鏡であり、挿入部２ａの先端部には先端部本体２ｃが設けられている。挿入部２ａの基端部には操作部２ｄが設けられ、この操作部２ｄには湾曲部２ｂを上下または左右方向に湾曲させる湾曲操作レバー２ｅが設けられている。
【００２５】
内視鏡用洗浄シース３は内視鏡２の挿入部２ａに被嵌され、挿入部２ａと一体で体腔内に挿入されるようになっている。挿入部２ａの先端部本体２ｃには照明光学系を構成する照明窓６および観察光学系を構成する観察窓７が設けられている。
【００２６】
照明窓６はライトガイドファイバーを介して光源装置（図示しない）に接続されている。観察窓７は観察光学系を通して取り込まれた光学像を電気信号に光電変換する例えばＣＣＤ等の撮像素子を備えた撮像装置が備えられている。撮像装置からは信号ケーブルが延出しており、この信号ケーブルはカメラコントロールユニット（図示しない）に接続されている。したがって、照明窓６から出射された照明光によって照明された被写体からの反射光は、観察窓７を通して光学像として取り込まれ、その光学像は撮像素子で電気信号に変換された後、カメラコントロールユニットに伝送される。カメラコントロールユニットでは、電気信号を映像信号に生成した後、表示装置である例えば液晶ディスプレイに出力して、液晶ディスプレイの画面上に内視鏡画像を表示させるようになっている。
【００２７】
前記内視鏡用洗浄シース３は細長な筒状部材として形成され、内視鏡２の挿入部２ａの全体を覆うように配置されている。内視鏡用洗浄シース３は、先端側から順に、筒状体である先端構成部８と、マルチルーメンチューブで構成されたチューブ体９とで主に構成されている。先端構成部８はチューブ体９の先端部に設けられている。チューブ体９の基端側には気体供給チューブ１０と液体供給チューブ１１とが設けられている。
【００２８】
気体供給チューブ１０はその途中に設けられた開閉弁１２および圧力調節弁１３を介して前記送気ポンプ４に接続されている。液体供給チューブ１１はその途中に設けられた開閉弁１２および送液タンク１４を介して前記送液ポンプ５に接続されている。
【００２９】
マルチルーメンチューブで構成されたチューブ体９は、シリコン、ウレタン、テフロン（登録商標）等の軟質な材質あるいはポリアミド、ポリエチレン、ポリプロピレン、ポリカーボネート等の硬質な材質で形成されている。
【００３０】
図２〜図４に示すように、チューブ体９は、その外周面に対して中心軸が偏心した偏心孔を有していて、厚肉部９ａと薄肉部９ｂが形成されている。チューブ体９の偏心孔はチューブ体９の先端面および基端面に開口を有する貫通孔であり、内視鏡２の挿入部２ａが挿入される内視鏡孔１５として形成されている。チューブ体９の肉厚部９ａには軸方向に亘って空気等の気体を供給するための第１の流路としての送気路１６と、水、洗浄液等の液体を供給するための第２の流路としての送液路１７が設けられている。そして、送気路１６の基端側は気体供給チューブ１０に連通し、送液路１７の基端側は液体供給チューブ１１に連通している。
【００３１】
内視鏡用洗浄シース３の先端構成部８は円筒状であり、内視鏡２の先端部本体２ｃの前面に対向する部分には開口部１８が設けられている。さらに、先端構成部８の前端部には先端部本体２ｃの外周部に沿って円弧状のノズル１９が一体に設けられている。すなわち、ノズル１９は先端部本体２ｃの外周部に沿う外周壁２０ａ、観察窓７の外周部の一部を囲繞する内周壁２０ｂ、端壁２０ｃ、２０ｄおよび円弧状の前面壁２０ｅによって囲まれる空間部を有している。
【００３２】
さらに、ノズル１９の空間部の内部で、一方の端壁２０ｃ側には前記送気路１６が開口しており、反対側の端壁２０ｄ側には前記送液路１７が開口している。したがって、送気路１６と送液路１７は内視鏡２の先端部本体２ｃの前端側に向かって開口しており、ノズル１９の前面壁２０ｅの内面に対向している。
【００３３】
ノズル１９の長手方向の中間部には送気路１６から供給された気体（矢印Ａ）と送液路１７から供給された液体（Ｗ）を合流させ、一時的に滞流させて混合させる合流部２１が設けられている。さらに、合流部２１の流路径は送気路１６および送液路１７の流路径より大きく形成され、気体と液体が衝突して乱流となり、効率的に気液が混合するようになっている。合流部２１と対向するノズル１９の内周壁２０ｂにはノズル１９の長手方向に長い矩形長孔からなる噴出口２２が設けられ、合流部２１で合流混合した気液混合流体を観察窓７に向かって噴出するようになっている。
【００３４】
さらに、噴出口２２と観察窓７との位置関係は、噴出口２２に対して観察窓７は送液路１７の開口端側に偏倚量（Ｓ）だけ偏倚して設けられている。つまり、気体と液体を効率よく混合させて威力ある噴霧を生成させるために、比重差が気体＜液体であることを考慮して送液路１７から供給される液体の供給量は送気路１６から供給される気体の供給量より少なく設定されている。そして、観察窓７は流体供給量が少ない送液路１７側に偏って配置され、噴出口２２から噴出される噴霧状の気液混合流体が観察窓７の全面に向かって吹き付けられるように構成されている。
【００３５】
また、ノズル１９の合流部２１は先端部本体２ｃに設けられた観察窓７に向かって連続する面上に設けられており、送気路１６から供給された気体と送液路１７から供給された液体が合流部２１で混合して噴霧状の気液混合流体となって噴出口２２から観察窓７に向かって噴出し、観察窓７に付着している汚物（粘液、血液等）を吹き飛ばして洗浄することができる。なお、本実施形態では、照明窓も同様に連続した面上に設けられており、照明窓に付着している汚物を吹き飛ばして洗浄することができる。
【００３６】
次に、第１の実施形態の作用について説明する。
【００３７】
内視鏡２の挿入部２ａに内視鏡用洗浄シース３を被嵌すると、挿入部２ａの全体はチューブ体９によって覆われる。内視鏡２の先端部本体２ｃは先端構成部８によって覆われ、先端構成部８のノズル１９に設けられた噴出口２２は先端部本体２ｃに設けられた観察窓７および照明窓６に向かって配置される。
【００３８】
このように内視鏡２に内視鏡用洗浄シース３を被嵌した状態で、内視鏡２の挿入部２ａを内視鏡用洗浄シース３と一体に患者の体腔内に挿入し、体腔内を観察し、必要に応じて患部を処置する。このとき、観察窓７に汚物が付着して視野が妨げられたり、照明窓６に汚物が付着して照度が低下した場合、観察窓７を遠隔的に洗浄することができる。
【００３９】
すなわち、送気ポンプ４を駆動して送気すると同時に送液ポンプ５を駆動して送液する。送気ポンプ４から送気されると、気体供給チューブ１０を介して送気路１６に供給され、送液ポンプ５から送液されると、液体供給チューブ１１を介して送液路１７に供給される。したがって、送気路１６の気体と送液路１７の液体はノズル１９の内部に供給され、送気路１６から供給された気体と送液路１７から供給された液体が合流部２１で衝突して乱流となり、液体と気体が混合して噴霧状の気液混合流体となって噴出口２２から観察窓７に向かって噴出する。
【００４０】
このとき、ノズル１９の合流部２１は先端部本体２ｃに設けられた観察窓７および照明窓６に連続した面上に設けられている。さらに、観察窓７は流体供給量が少ない送液路１７側に偏倚量（Ｓ）だけ偏って配置され、噴出口２２から噴出される噴霧状の気液混合流体が観察窓７の全面に向かって吹き付けられるため、合流部２１で混合して噴霧状の気液混合流体が観察窓７の面方向に噴出し、観察窓７および照明窓６に付着している汚物を効率的に吹き飛ばして洗浄することができる。しかも、噴霧状の気液混合流体であるため、観察窓７および照明窓６の表面に水滴が残ることはなく、瞬時に視野を確保することができるとともに照度を確保できる。
【００４１】
なお、照明窓６をノズル１９から噴出される気液混合流体の下流側に偏倚して配置することにより、観察窓７とともに照明窓６を同時に洗浄できる。
【００４２】
図５は第２の実施形態を示し、第１の実施形態と同一構成部分は同一符号を付して説明を省略する。
【００４３】
本実施形態は、噴出口２２と観察窓７との位置関係を観察窓７に対して噴出口２２は送気路１６の開口端側に偏倚量（Ｓ’）だけ偏倚して設けられている。つまり、気体と液体を効率よく混合させて威力ある噴霧を生成させるために、比重差が気体＜液体であることを考慮して送液路１７から供給される液体の供給量は送気路１６から供給される気体の供給量より少なく設定されている。そして、噴出口２２は流体供給量が多い送気路１６側に偏って配置され、噴出口２２から噴出される噴霧状の気液混合流体が観察窓７の全面に向かって吹き付けられるように構成されている。
【００４４】
なお、第１、２の実施形態において、硬性内視鏡に洗浄チューブを被嵌する場合について説明したが、軟性内視鏡に洗浄チューブを被嵌する場合についても適用できること勿論である。
【００４５】
図６〜図９は第３の実施形態を示し、本実施形態は、軟性内視鏡に一体に洗浄機能を持たせたものであり、図６は内視鏡の全体の斜視図である。
【００４６】
図６に示すように、軟性内視鏡３１は、操作部３２に可撓性を有する挿入部３３とユニバーサルコード３４が設けられ、挿入部３３には湾曲部３５を介して先端部本体３６が設けられている。図７および図８に示すように、先端部本体３６には照明光学系を構成する照明窓３７および観察光学系を構成する観察窓３８が設けられている。照明窓３７はライトガイドファイバーを介して光源装置（図示しない）に接続され、観察窓３８は観察光学系を通して取り込まれた光学像を電気信号に光電変換する例えばＣＣＤ等の撮像素子を備えた撮像装置が備えられている。
【００４７】
挿入部３３には空気等の気体を供給するための送気路３９と、水、洗浄液等の液体を供給するための送液路４０が設けられている。そして、送気路３９および送液路４０は挿入部３３、操作部３２およびユニバーサルコード３４の内部を通って第１の実施形態と同様に、送気ポンプ４および送液ポンプ５に連通している。
【００４８】
内視鏡３１の先端部本体３６の前端部にはその外周部に沿って円弧状のノズル４１が一体に設けられている。すなわち、ノズル４１は先端部本体３６の外周部に沿う外周壁４１ａ、観察窓３８の外周部の一部を囲繞する内周壁４１ｂ、端壁４１ｃ、４１ｄおよび円弧状の前面壁４１ｅによって囲まれる空間部４１ｆを有している。この空間部４１ｆは外周壁４１ａおよび内周壁４１ｂの曲率に沿って円弧状に湾曲し、その中間部に先端開口に向かって先細のテーパ部が形成され、前面視で略Ｔ字状に形成されている。
【００４９】
さらに、ノズル４１の空間部の内部で、一方の端壁４１ｃ側には前記送気路３９が開口しており、反対側の端壁４１ｄ側には前記送液路４０が開口している。したがって、送気路３９と送液路４０は内視鏡３１の先端部本体３６の前端側に向かって開口しており、ノズル４１の前面壁４１ｅの内面に対向している。
【００５０】
ノズル４１の長手方向の中間部には送気路３９から供給された気体と送液路４０から供給された液体を合流させて混合させる合流部４２が設けられている。さらに、この合流部４２と対向するノズル４１の内周壁４１ｂにはノズル４１の噴出口４３が設けられ、噴出口４３は合流部２１で合流混合した気液混合流体を観察窓７に向かって噴出するようになっている。
【００５１】
このように構成されたノズル４１の合流部４２は先端部本体３６に設けられた観察窓３８に連続した面上に設けられており、送気路３９から供給された気体と送液路４０から供給された液体が合流部４２で衝突し、乱流になって混合して噴霧状の気液混合流体となって噴出口４３から観察窓３８に向かって噴出し、観察窓３８に付着している汚物を吹き飛ばして洗浄することができる。
【００５２】
さらに、操作部３２には送気路３９から供給される気体と送液路４０から供給される液体の流量を制御し、ノズル４１の噴出口４３から噴霧状に噴出する気液混合流体を制御する送気・送液ボタン４４が設けられている。なお、４５は吸引ボタンである。なお、図示しないが、第１の実施形態と同様、ノズル、観察窓、照明窓の順に配置し、ノズルで両窓を洗浄できるようにしてもよい。
【００５３】
次に、第３の実施形態の作用について説明する。
【００５４】
内視鏡３１の挿入部３３の先端部本体３６にはノズル４１が一体に設けられ、ノズル４１の噴出口４３は観察窓３８および照明窓３７に向かって配置されている。この内視鏡３１の挿入部３３を患者の体腔内に挿入し、体腔内を観察し、必要に応じて患部を処置する。このとき、観察窓３８に汚物が付着して視野が妨げられた場合、観察窓３８を遠隔的に洗浄することができる。
【００５５】
すなわち、送気ポンプ４を駆動して送気すると同時に送液ポンプ５を駆動して送液する。送気ポンプ４から送気されると、気体は送気路３９に供給され、送液ポンプ５から送液されると、液体は送液路４０に供給される。したがって、送気路３９の気体と送液路４０の液体はノズル４１の内部に供給され、送気路３９から供給された気体と送液路４０から供給された液体が合流部４２で混合し、噴霧状の気液混合流体となって噴出口４３から観察窓３８に向かって噴出する。
【００５６】
このとき、ノズル４１の合流部４２は先端部本体３６に設けられた観察窓３８と連続する面上に設けられているため、合流部４２で混合して噴霧状の気液混合流体が観察窓３８に噴出し、観察窓３８に付着している汚物を効率的に吹き飛ばして洗浄することができる。しかも、噴霧状の気液混合流体であるため、水の粒子がすぐに蒸発するため、観察窓３８の表面に水滴が残ることはなく、瞬時に視野を確保することができるとともに照度を確保できる。
【００５７】
また、噴出口４３から噴出させる噴霧状の気液混合流体の威力をさらに高くしたい場合、操作部３２に設けられた送気・送液ボタン４４を制御して気体の圧力を上げることにより、送気路３９から供給される気体の圧力が高くでき、気液混合比を任意に制御できる。
【００５８】
図９は第３の実施形態におけるノズル４１の変形例を示し、（ａ）〜（ｈ）は先端部本体３６の概略的な正面図であり、いずれも噴出口４８と観察窓３８との位置関係は、噴出口４８に対して観察窓３８は送液路４０の開口端側に偏倚量（Ｓ）だけ偏倚して設けられている。
【００５９】
（ａ）のノズル４１は、先端部本体３６の外周部に沿う局率の円弧状部４６が設けられ、この円弧状部４６の中間部には合流部４７が設けられている。さらに、合流部４７から観察窓３８の側部に向かって開口する噴出口４８が設けられている。また、合流部４７を境界として対称的に左側には２個の送気路３９が開口しており、右側には２個の送液路４０が開口している。
【００６０】
（ｂ）のノズル４１は、先端部本体３６の外周部に沿う局率の円弧状の流通路４６が設けられ、この流通路４６の中間部には合流部４７が設けられている。さらに、合流部４７から観察窓３８の側部に向かって開口する噴出口４８が設けられている。また、合流部４７には１個の送液路４０が開口しており、左右端部には対称的にそれぞれ１個ずつ送気路３９が開口している。
【００６１】
（ｃ）のノズル４１は、先端部本体３６の外周部に沿って鋭角のＭ字状の流通路４６が設けられ、この流通路４６の中間部には合流部４７が設けられている。さらに、合流部４７から観察窓３８の側部に向かって開口する噴出口４８が設けられている。また、流通路４６の左側には送気路３９が開口しており、右側には送液路４０が開口している。
【００６２】
（ｄ）のノズル４１は、先端部本体３６の外周部に沿って湾曲する逆Ｖ状部４６ａと、この逆Ｖ状部４６ａの一端部と連通する水平部４６ｂとからなる流通路４６を有しており、逆Ｖ状部４６ａの屈曲部には合流部４７が設けられている。さらに、合流部４７から観察窓３８の側部に向かって開口する噴出口４８が設けられている。また、流通路４６の左側には送気路３９（または送液路４０）が開口しており、右側には送液路４０（または送気路３９）が開口している。
【００６３】
（ｅ）のノズル４１は、先端部本体３６の外周部に沿って鈍角のＭ字状の流通路４６が設けられ、この流通路４６の中間部には合流部４７が設けられている。さらに、合流部４７から観察窓３８の側部に向かって開口する噴出口４８が設けられている。また、流通路４６の左側には送気路３９が開口しており、右側には送液路４０が開口している。
【００６４】
（ｆ）のノズル４１は、先端部本体３６の外周部に沿う局率の円弧状の流通路４６が設けられ、この流通路４６の中間部には合流部４７が設けられている。さらに、合流部４７から観察窓３８の側部に向かって開口する噴出口４８が設けられている。また、流通路４６の左側には送気路３９が開口しており、右側には送液路４０が開口している。
【００６５】
（ｇ）のノズル４１は、先端部本体３６には略山形状の流通路４６が設けられ、この流通路４６の中間部には合流部４７が設けられている。さらに、合流部４７から観察窓３８の側部に向かって開口する噴出口４８が設けられている。また、流通路４６の左側には送気路３９が開口しており、右側には送液路４０が開口している。
【００６６】
（ｈ）のノズル４１は、先端部本体３６の外周部に沿って湾曲する逆Ｖ状部の流通路４６が設けられ、この流通路４６の屈曲部には合流部４７が設けられている。さらに、合流部４７から観察窓３８の側部に向かって開口する噴出口４８が設けられている。また、流通路４６の左側端部（上流側）には大口径の送気路３９が開口しており、この送気路３９より下流側には小口径の送液路４０が開口している。
【００６７】
前記各変形例によれば、ノズル４１の合流部４７は先端部本体３６に設けられた観察窓３８と同一平面上に設けられているため、合流部４７で混合して噴霧状の気液混合流体が観察窓３８の面方向に噴出し、観察窓３８に付着している汚物を効率的に吹き飛ばして洗浄することができる。しかも、噴霧状の気液混合流体であるため、観察窓３８の表面に水滴が残ることはなく、瞬時に視野を確保することができる。
【００６８】
図１０および図１１は第４の実施形態を示し、第２の実施形態と同一構成部分は同一符号を付して説明を省略する。
【００６９】
内視鏡３１の先端部本体３６の前端部にはその外周部に沿って円弧状のノズル５１が一体に設けられている。すなわち、ノズル５１は先端部本体３６の外周部に沿う外周壁５１ａ、観察窓３８の外周部の一部を囲繞する内周壁５１ｂ、端壁５１ｃ、５１ｄおよび円弧状の前面壁５１ｅによって囲まれる空間部５１ｆを有している。この空間部５１ｆは外周壁５１ａおよび内周壁５１ｂの曲率に沿って円弧状に湾曲している。
【００７０】
さらに、ノズル５１の空間部の内部で、一方の端壁５１ｃ側には前記送気路３９が開口しており、反対側の端壁５１ｄ側には前記送液路４０が開口している。したがって、送気路３９と送液路４０は内視鏡３１の先端部本体３６の前端側に向かって開口しており、ノズル５１の前面壁５１ｅの内面に対向している。
【００７１】
ノズル５１の長手方向の中間部には送気路３９から供給された気体と送液路４０から供給された液体を合流させて混合させる合流部５２が設けられている。合流部５２の流路径は送気路３９および送液路４０の流路径より大きく形成され、気体と液体が衝突して乱流となり、効率的に気液が混合するようになっている。さらに、この合流部５２と対向するノズル５１の内周壁５１ｂには横方向に長い矩形長孔からなる噴出口５３が設けられ、噴出口５３は合流部５２で合流混合した気液混合流体を観察窓３８に向かって噴出するようになっている。また、噴出口５３と観察窓３８との位置関係は、噴出口５３に対して観察窓３８は送液路４０の開口端側に偏倚量（Ｓ）だけ偏倚して設けられている。
【００７２】
このように構成されたノズル５１の合流部５２は先端部本体３６に設けられた観察窓３８と同一平面上に設けられており、送気路３９から供給された気体と送液路４０から供給された液体が合流部５２で混合して噴霧状の気液混合流体となって噴出口５３から観察窓３７に向かって噴出し、観察窓３８に付着している汚物を吹き飛ばして洗浄することができる。
【００７３】
図１２（ａ）（ｂ）は第５の実施形態を示し、第３，４の実施形態と同一構成部分は同一符号を付して説明を省略する。
【００７４】
内視鏡３１の先端部本体３６の前端部には観察窓３８が設けられている。この観察窓３８の隣側には観察窓３８が設けられている面３６ａより前方に突出する突出部３６ｂが設けられている。この突出部３６ｂには先端部本体３６の軸方向に円筒状の凹陥部からなる合流部５４が設けられている。この合流部５４の底部には送気路３９と送液路４０が開口している。
【００７５】
先端部本体３６の突出部３６ｂには合流部５４の開口部に対向して前端壁部５５が一体に設けられ、合流部５４の開口部との間にノズル５６が形成されている。このノズル５６には観察窓３８方向に開口する噴出口５７が設けられている。また、噴出口５７と観察窓３８との位置関係は、噴出口５７に対して観察窓３８は送液路４０の開口端側に偏倚量（Ｓ）だけ偏倚して設けられている。
【００７６】
このように構成されたノズル５６の合流部５４および噴出口５７は先端部本体３６に設けられた観察窓３８と平行で、しかも観察窓３８より前方に突出して設けられている。そして、送気路３９から供給された気体と送液路４０から供給された液体が合流部５４で混合して気液混合流体となったのち、ノズル５６の前端壁部５５の内面に衝突し、さらに混合されて噴霧状になって噴出口５７から観察窓３７に向かって噴出し、観察窓３８に付着している汚物を吹き飛ばして洗浄することができる。
【００７７】
図１３（ａ）（ｂ）は第６の実施形態を示し、第３〜５の実施形態と同一構成部分は同一符号を付して説明を省略する。
【００７８】
内視鏡３１の先端部本体３６の前端部には観察窓３８および照明窓３７が設けられている。観察窓３８の隣側には観察窓３８が設けられている面３６ａより前方に突出する突出部３６ｂが設けられ、面３６ａと突出部３６ｂとの間には傾斜面３６ｃが形成されている。突出部３６ｂには先端部本体３６と一体にノズル５１が設けられている。このノズル５１は第３の実施形態と基本的に同一構造であるが、先端部本体３６の曲率に沿って円弧状に湾曲し、さらにノズル５１の中間部に合流部５２が設けられている。ノズル５１には傾斜面３６ｃと平行で、観察窓３８方向に突出する流体ガイド面５８ａを有する噴出口５８が設けられている。また、噴出口５８と観察窓３８との位置関係は、噴出口５８に対して観察窓３８は送液路４０の開口端側に偏倚量（Ｓ）だけ偏倚して設けられている。
【００７９】
さらに、ノズル５１の空間部の内部には送気路３９と送液路４０が開口し、送気路３９と送液路４０は内視鏡３１の先端部本体３６の前端側に向かって開口しており、ノズル５１の内面に対向している。
【００８０】
このように構成されたノズル５１の合流部５２および噴出口５８は先端部本体３６に設けられた観察窓３８と平行で、しかも観察窓３８より前方に突出して設けられている。そして、送気路３９から供給された気体と送液路４０から供給された液体が合流部５２で混合して気液混合流体となったのち、ノズル５１の内面に衝突し、さらに混合されて噴霧状になって噴出口５８から観察窓３７に向かって噴出し、観察窓３８に付着している汚物を吹き飛ばして洗浄することができる。
【００８１】
図１４（ａ）（ｂ）は第７の実施形態を示し、第３〜６の実施形態と同一構成部分は同一符号を付して説明を省略する。
【００８２】
内視鏡３１の先端部本体３６の前端部には、第２の実施形態と同一構造で、先端部本体３６の外周部に沿って円弧状のノズル５９であり、ノズル５９は周囲が壁面で囲まれる空間部を有している。ノズル５９の一方の端壁５９ａ側には前記送気路３９と接続するＬ字管６０ａが貫通してノズル５９の内部に開口しており、ノズル５９とＬ字管６０ａの内部が連通している。反対側の端壁５９ｂ側には前記送液路４０と接続するＬ字管６０ｂが貫通してノズル５９の内部に開口しており、ノズル５９とＬ字管６０ｂの内部が連通している。したがって、送気路３９と送液路４０の開口はノズル５９の中間部の合流部６１に対向している。さらに、合流部６１と対向するノズル５１の内周壁には観察窓３８に向かって噴出口５３が設けられ、噴出口５３は合流部６１で合流混合した気液混合流体を観察窓３８に向かって噴出するようになっている。また、噴出口５３と観察窓３８との位置関係は、噴出口５３に対して観察窓３８は送液路４０の開口端側に偏倚量（Ｓ）だけ偏倚して設けられている。
【００８３】
このように構成されたノズル５９の合流部６１は先端部本体３６に設けられた観察窓３８と同一平面上に設けられており、送気路３９から供給された気体と送液路４０から供給された液体が合流部６１で混合して噴霧状の気液混合流体となって噴出口５３から観察窓３７に向かって噴出し、観察窓３８に付着している汚物を吹き飛ばして洗浄することができる。
【００８４】
図１５（ａ）（ｂ）は第８の実施形態を示し、第３〜７の実施形態と同一構成部分は同一符号を付して説明を省略する。
【００８５】
内視鏡３１の先端部本体３６の前端部には、第３，７の実施形態と同一構造で、先端部本体３６の外周部に沿って円弧状のノズル５９であり、ノズル５９は周囲が壁面で囲まれる空間部を有している。ノズル５９の一方の端壁５９ａ側には前面から前記送気路３９と接続するＵ字管６１ａが貫通してノズル５９の内部に開口しており、ノズル５９とＵ字管６１ａの内部が連通している。反対側の端壁５９ｂ側には前面から前記送液路４０と接続するＵ字管６１ｂが貫通してノズル５９の内部に開口しており、ノズル５９とＵ字管６１Ｂの内部が連通している。したがって、送気路３９と送液路４０の開口は先端部本体３６の先端面に対向している。さらに、ノズル５９の中間部には合流部６１が設けられ、合流部６１と対向するノズル５１の内周壁には噴出口５３が設けられ、噴出口５３は合流部６１で合流混合した気液混合流体を観察窓３８に向かって噴出するようになっている。また、噴出口５３と観察窓３８との位置関係は、噴出口５３に対して観察窓３８は送液路４０の開口端側に偏倚量（Ｓ）だけ偏倚して設けられている。
【００８６】
このように構成されたノズル５９の合流部６１は先端部本体３６に設けられた観察窓３８と同一平面上に設けられており、送気路３９から供給された気体と送液路４０から供給された液体が合流部６１で混合して噴霧状の気液混合流体となって噴出口５３から観察窓３７に向かって噴出し、観察窓３８に付着している汚物を吹き飛ばして洗浄することができる。
【００８７】
図１６は第９の実施形態を示し、第３〜８の実施形態と同一構成部分は同一符号を付して説明を省略する。
【００８８】
内視鏡３１の先端部本体３６の一側部には傾斜面６２が設けられ、この傾斜面６２に沿って傾斜ノズル６３が先端部本体３６と一体に設けられている。傾斜ノズル６３には傾斜面６２に沿って空間部６４が設けられ、この空間部６４には前記送気路３９と送液路４０が開口している。したがって、送気路３９と送液路４０の開口は傾斜ノズル６３の内面に対向している。さらに、傾斜ノズル６３の空間部には合流部６５が設けられ、合流部６５と対向して噴出口６６が設けられ、噴出口６６は合流部６５で合流混合した気液混合流体を観察窓３８に向かって噴出するようになっている。また、噴出口６６と観察窓３８との位置関係は、噴出口６６に対して観察窓３８は送液路４０の開口端側に偏倚量（Ｓ）だけ偏倚して設けられている。
【００８９】
このように構成された傾斜ノズル６３の合流部６５は先端部本体３６に設けられた観察窓３８より後方に設けられており、送気路３９から供給された気体と送液路４０から供給された液体が合流部６５で混合して噴霧状の気液混合流体となって噴出口６６から観察窓３７に向かって噴出し、観察窓３８に付着している汚物を吹き飛ばして洗浄することができる。
【００９０】
図１７は第１０の実施形態を示し、第３〜９の実施形態と同一構成部分は同一符号を付して説明を省略する。
【００９１】
本実施形態は斜視型内視鏡６７に採用したもので、斜視型内視鏡６７の先端部本体６８の前端部には傾斜面６９が設けられ、この傾斜面６９には観察窓７０が設けられている。さらに、傾斜面６９の一側部には傾斜面６９に沿って傾斜ノズル６３が先端部本体６８と一体に設けられている。傾斜ノズル６３は第８の実施形態と基本的には同一構造であり、傾斜面６９に沿って空間部６４が設けられ、この空間部６４には前記送気路３９と送液路４０が開口している。したがって、送気路３９と送液路４０の開口は傾斜ノズル６３の内面に対向している。さらに、傾斜ノズル６３の空間部には合流部６５が設けられ、合流部６５と対向して噴出口６６が設けられ、噴出口６６は合流部６５で合流混合した気液混合流体を観察窓３８に向かって噴出するようになっている。また、噴出口６６と観察窓３８との位置関係は、噴出口６６に対して観察窓３８は送液路４０の開口端側に偏倚量（Ｓ）だけ偏倚して設けられている。
【００９２】
このように構成された傾斜ノズル６３の合流部６５は先端部本体６８に設けられた観察窓３８と同一平面上に設けられており、送気路３９から供給された気体と送液路４０から供給された液体が合流部６５で混合して噴霧状の気液混合流体となって噴出口６６から観察窓３８に向かって噴出し、観察窓３８に付着している汚物を吹き飛ばして洗浄することができる。
【００９３】
なお、第３〜第１０の実施形態においては、軟性内視鏡について説明したが、硬性内視鏡においても適用できることは勿論である。
【００９４】
図１８〜図２１は第１１の実施形態を示し、第３〜１０の実施形態と同一構成部分は同一符号を付して説明を省略する。
【００９５】
本実施形態は先端キャップ付き内視鏡を示し、軟性内視鏡７０の挿入部７１の先端部本体７２には観察窓３８および照明窓３７が設けられている。さらに、挿入部７１には送気路３９および送液路４０が設けられ、先端部本体７２の前端面には送気路３９および送液路４０の開口が設けられている。
【００９６】
さらに、先端部本体７２の外周面には環状の係合溝７３が設けられ、先端部本体７２には係合溝７３に係合する係合凸部７４を有する先端キャップ７５が着脱可能に嵌合されている。先端キャップ７５が円筒状で、前端部には先端キャップ７５の外周部に沿って円弧状のノズル７６が一体に設けられている。すなわち、ノズル７６は先端キャップ７５の外周部に沿う外周壁７６ａ、観察窓３８の外周部の一部を囲繞する内周壁７６ｂ、端壁７６ｃ、７６ｄおよび円弧状の前面壁７６ｅによって囲まれる空間部７６ｆを有している。この空間部７６ｆは外周壁７６ａおよび内周壁７６ｂの曲率に沿って円弧状に湾曲している。
【００９７】
さらに、ノズル７６の空間部の内部で、一方の端壁７６ｃ側には前記送気路３９が開口しており、反対側の端壁７６ｄ側には前記送液路４０が開口している。したがって、送気路３９と送液路４０は先端キャップ７５の前端側に向かって開口しており、ノズル７６の前面壁７６ｅの内面に対向している。
【００９８】
ノズル７６の長手方向の中間部には送気路３９から供給された気体と送液路４０から供給された液体を合流させて混合させる合流部７７が設けられている。さらに、この合流部７７と対向するノズル７６の内周壁７６ｂには噴出口７８が設けられ、噴出口７８は合流部７７で合流混合した気液混合流体を観察窓３８に向かって噴出するようになっている。また、噴出口７８と観察窓３８との位置関係は、噴出口７８に対して観察窓３８は送液路４０の開口端側に偏倚量（Ｓ）だけ偏倚して設けられている。
【００９９】
このように構成されたノズル７６の合流部７７は先端部本体７２に設けられた観察窓３８と同一平面上に設けられており、送気路３９から供給された気体と送液路４０から供給された液体が合流部７７で混合して噴霧状の気液混合流体となって噴出口７８から観察窓３８に向かって噴出し、観察窓３８に付着している汚物を吹き飛ばして洗浄することができる。
【０１００】
なお、本発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組み合わせてもよい。
【図面の簡単な説明】
【０１０１】
【図１】本発明の第１の実施形態を示し、（ａ）は内視鏡と内視鏡用洗浄シースの全体構成を示す斜視図、（ｂ）は内視鏡の先端部本体の正面図。
【図２】同実施形態を示し、シース体の横断面図。
【図３】同実施形態を示し、内視鏡の先端部の縦断側面図。
【図４】同実施形態を示し、図３のＡ−Ａ線に沿う断面図。
【図５】本発明の第２の実施形態を示し、図３のＡ−Ａ線に対応する断面図。
【図６】本発明の第３の実施形態を示し、軟性内視鏡の斜視図。
【図７】同実施形態を示し、内視鏡の先端部の斜視図。
【図８】同実施形態を示し、内視鏡の先端部の縦断側面図。
【図９】同実施形態の変形例を示し、（ａ）〜（ｈ）は異なるノズルの概略的正面図。
【図１０】本発明の第４の実施形態を示し、先端部本体のノズルの斜視図。
【図１１】同実施形態を示し、先端部本体のノズルの正面図。
【図１２】本発明の第５の実施形態を示し、（ａ）は先端部本体の正面図、（ｂ）はＢ−Ｂ線に沿う断面図。
【図１３】本発明の第６の実施形態を示し、（ａ）は先端部本体の正面図、（ｂ）はＣ−Ｃ線に沿う断面図。
【図１４】本発明の第７の実施形態を示し、（ａ）は先端部本体の正面図、（ｂ）は先端部本体の縦断側面図。
【図１５】本発明の第８の実施形態を示し、（ａ）は先端部本体の正面図、（ｂ）は先端部本体の縦断側面図。
【図１６】本発明の第９の実施形態を示し、（ａ）は先端部本体の正面図、（ｂ）は先端部本体の縦断側面図。
【図１７】本発明の第１０の実施形態を示し、（ａ）は先端部本体の正面図、（ｂ）は先端部本体の縦断側面図。
【図１８】本発明の第１１の実施形態を示し、先端キャップ付き内視鏡の斜視図。
【図１９】同実施形態を示し、先端キャップ付き内視鏡の先端部本体の縦断側面図。
【図２０】同実施形態を示し、図１９のＤ−Ｄ線に沿う断面図。
【図２１】同実施形態を示し、図１９のＥ−Ｅ線に沿う断面図。
【符号の説明】
【０１０２】
２ａ…挿入部、２ｃ…先端部本体、７…観察窓、１６…送気路、１７…送液路、１９…ノズル、２１…合流部、２２…噴出口
【図１】
0005289812.tif 000002
【図２】
0005289812.tif 000003
【図３】
0005289812.tif 000004
【図４】
0005289812.tif 000005
【図５】
0005289812.tif 000006
【図６】
0005289812.tif 000007
【図７】
0005289812.tif 000008
【図８】
0005289812.tif 000009
【図９】
0005289812.tif 000010
【図１０】
0005289812.tif 000011
【図１１】
0005289812.tif 000012
【図１２】
0005289812.tif 000013
【図１３】
0005289812.tif 000014
【図１４】
0005289812.tif 000015
【図１５】
0005289812.tif 000016
【図１６】
0005289812.tif 000017
【図１７】
0005289812.tif 000018
【図１８】
0005289812.tif 000019
【図１９】
0005289812.tif 000020
【図２０】
0005289812.tif 000021
【図２１】
0005289812.tif 000022